(57)【特許請求の範囲】
【請求項１】
内視鏡の口部に係合部を介して着脱自在に取り付けられる内視鏡用栓体において、
孔が形成された筒状の栓本体と、
前記栓本体の内部に配され、前記係合部に係合して栓本体を口部に取り付ける取付位置と取り付けを解除する取付解除位置との間で変位可能で、前記孔から栓本体の内部に取り外し用具が挿入された状態で、取り外し用具に押動されて前記取付解除位置に変位する栓取付フックと、
栓本体の内部に設けられ、栓本体に挿入された取り外し用具に係止し、この取り外し用具を栓本体から取り外し不能にする栓係止部と、を備えることを特徴とする内視鏡用栓体。
【請求項２】
前記栓本体の孔に挿入され、前記栓取付フックを押動して前記取付位置から前記取付解除位置に変位させる押動部と、
前記押動部が前記栓取付フックを押動して前記取付位置から前記取付解除位置に変位させた後に、前記栓係止部に係止する用具係止部とを有する取り外し用具を備えることを特徴とする請求項１記載の内視鏡用栓体。
【請求項３】
前記栓係止部は、取り外し用具の挿入方向に対し内側に向かい斜めに突出する係止爪であり、前記用具係止部は、取り外し用具の挿入方向とは反対方向に対し外側に向かい斜めに突出する係止爪であることを特徴とする請求項２記載の内視鏡用栓体。
【請求項４】
栓取付フックは、取付位置に向けて付勢されていることを特徴とする請求項１から３いずれか１項記載の内視鏡用栓体。
【請求項５】
前記栓取付フックは、前記栓本体の周方向に離間して複数設けられていることを特徴とする請求項１から４いずれか１項記載の内視鏡用栓体。
【請求項６】
前記栓係止部は、前記栓本体に一体に形成されていることを特徴とする請求項１から５いずれか１項記載の内視鏡用栓体。
【請求項７】
前記孔は処置具が挿通される挿通孔であり、前記取り外し用具によって前記挿通孔が塞がれることを特徴とする請求項１から６いずれか１項記載の内視鏡用栓体。
【請求項８】
前記挿通孔には、処置具が挿通されるスリットを有するスリット弁が配されていることを特徴とする請求項１から７いずれか１項記載の内視鏡用栓体。
【請求項９】
体内に挿入される挿入部と、この挿入部の基端が接続される操作部と、前記操作部に設けられる口部と、前記口部に取り付けられる請求項１から８いずれか１項記載の内視鏡用栓体と、を備えることを特徴とする内視鏡。
【請求項１０】
前記口部は、処置具が挿通される処置具チャンネルに連結される口金であることを特徴とする請求項９記載の内視鏡。
【発明の詳細な説明】
【技術分野】
【０００１】
本発明は、内視鏡に取り付けられる再使用不可能な栓体、及びこの栓体を備える内視鏡に関する。
【背景技術】
【０００２】
従来から医療分野においては、体内を観察する内視鏡検査が行われている。この内視鏡検査では、患者の体内に内視鏡の挿入部を挿入し、手元側のモニタにて体内を観察する。観察中に病変部を発見した場合には、病変部に対して各種の処置を行う。具体的には、鉗子、切開具などの各種処置具を、内視鏡の操作部に設けられた処置具導入口から挿入する。挿入された処置具は、挿入部内の処置具チャンネルを通り、挿入部先端から突出する。この突出させた処置具により、病変部の切除、採取等の各種の処置を行っている。
【０００３】
体内の内圧の変化等によって、体内の体液、汚物、体内洗浄用の生理食塩水等が処置具チャンネル内を通って、口金から外部に漏れ出ることがある。これを防止するために、口金には処置具栓が取り付けられる。処置具栓は、処置具が挿通可能な弁を有し、この弁は処置具栓が挿通していない状態では閉じられている。このような処置具栓としては、使用により体液等が付着するため、感染防止の観点から使用毎に新たなものと交換する必要がある。そのため、再使用が不可能なディスポタイプのものが一般的に用いられる。
【０００４】
特許文献１には、処置具栓を口金から取り外すとともに再利用不能にするときに、破壊用治具を用いて処置具栓を破壊することが記載されている。この場合に、破壊用治具を、処置具栓の栓本体側面に設けられた破壊リングに連結させる。そして、破壊用治具を用いて破壊リングに力を加えることにより、栓本体に形成された栓本体破壊部を破壊する。
【先行技術文献】
【特許文献】
【０００５】
【特許文献１】特開２００６−３４６１９７号公報
【発明の概要】
【発明が解決しようとする課題】
【０００６】
しかしながら、特許文献１では、破壊用治具を破壊リングに連結させる工程に加えて、破壊用治具により破壊リングに力を加えて栓本体破壊部を破壊する工程を行う必要があり、作業性が悪い。また、栓本体には、体液等が付着しているため、栓本体破壊部を破壊するときに破片とともに体液等が飛び散り、衛生上の問題があった。
【０００７】
本発明は上記問題を解決するためになされたものであり、簡単に取り外すことができ、再使用が不可能な栓体及びこれを備えた内視鏡を提供することを目的とする。
【課題を解決するための手段】
【０００８】
上記目的を達成するため、本発明の内視鏡用栓体は、内視鏡の口部に係合部を介して着脱自在に取り付けられる内視鏡用栓体であって、孔が形成された筒状の栓本体と、栓本体の内部に配され、係合部に係合して栓本体を口部に取り付ける取付位置と取り付けを解除する取付解除位置との間で変位可能で、孔から栓本体の内部に取り外し用具が挿入された状態で、取り外し用具に押動されて取付解除位置に変位する栓取付フックと、栓本体の内部に設けられ、栓本体に挿入された取り外し用具に係止し、この取り外し用具を栓本体から取り外し不能にする栓係止部と、を備えている。
【０００９】
栓本体の孔に挿入され、栓取付フックを押動して取付位置から取付解除位置に変位させる押動部と、押動部が栓取付フックを押動して取付位置から取付解除位置に変位させた後に、栓係止部に係止する用具係止部とを有する取り外し用具を備えることが好ましい。また、栓係止部は、取り外し用具の挿入方向に対し内側に向かい斜めに突出する係止爪であり、用具係止部は、取り外し用具の挿入方向とは反対方向に対し外側に向かい斜めに突出する係止爪であることが好ましい。
【００１０】
栓取付フックは、取付位置に向けて付勢されていることが好ましい。また、栓取付フックは、栓本体の周方向に離間して複数設けられていることが好ましい。
【００１１】
栓係止部は、栓本体に一体に形成されていることが好ましい。孔は処置具が挿通される挿通孔であり、取り外し用具によって挿通孔が塞がれることが好ましい。挿通孔には、処置具が挿通されるスリットを有するスリット弁が配されていることが好ましい。
【００１２】
本発明の内視鏡は、体内に挿入される挿入部と、この挿入部の基端が接続される操作部と、操作部に設けられる口部と、口部に取り付けられる上記の内視鏡用栓体と、を備えている。なお、口部は、処置具が挿通される処置具チャンネルに連結される口金であることが好ましい。
【発明の効果】
【００１３】
本発明によれば、取り外し用具を栓本体の孔に挿入すると、栓本体内の栓取付フックが取付解除位置まで変位する。これにより、内視鏡用栓体が口部から取り外し可能となり、簡単に栓体を口部から取り外すことができる。また、挿入した取り外し用具は栓係止部による栓本体との係止によって、栓本体から分離することができない。したがって、新たに口部に再装着することができなくなる。また、処置具を挿通することもできないため、栓体の再利用を防止される。
【００１４】
取り外し用具の先端による押動によって、栓取付フックを取付解除位置状態にして、口部から栓本体を取り外すため、栓本体を破損させることなく簡単に取り外すことができる。したがって、栓本体の破損時の衝撃などによって、体液等の飛び散りがないので、衛生的であり、感染などが抑えられる。
【図面の簡単な説明】
【００１５】
【図１】内視鏡の斜視図である。
【図２】口金固定部と処置具栓とを示す斜視図である。
【図３】口金と栓取付フックと栓本体とを分解して示す分解斜視図である。
【図４】口金に処置具栓を取り付けた状態を示す斜視断面図である。
【図５】口金と栓取付フックと栓本体とを分解して示す分解斜視断面図である。
【図６】フック凹部の上段部分を示す断面図である。
【図７】口金に処置具栓を取り付けた状態を示す断面図である。
【図８】処置具栓を口金に取り付ける前の状態を示す断面図である。
【図９】処置具を処置具栓に挿通した状態を示す断面図である。
【図１０】取り外し用具を処置具栓の挿通孔に挿入し、栓取付フックによる係止を解除した状態を示す断面図である。
【図１１】処置具栓を口金から取り外した状態を示す断面図である。
【発明を実施するための形態】
【００１６】
図１に示すように、内視鏡１０は、挿入部１１、操作部１２、ユニバーサルコード１３を備え、例えば気管に挿入する気管支鏡として用いられる。挿入部１１は、気管内に挿入される。操作部１２は、挿入部１１の基端に連設されている。ユニバーサルコード１３は、複合タイプのコネクタ１３ａを介して、図示しないプロセッサ装置や光源装置などに接続される。
【００１７】
挿入部１１は、その先端側から基端側に向かって順に、先端硬性部１１ａと、湾曲自在な湾曲部１１ｂと、可撓性を有する可撓管部１１ｃとに区分けされている。先端硬性部１１ａの先端面には、鉗子等の処置具１４の出口である処置具出口１５の他に、図示は省略するが観察窓や照明窓が設けられている。観察窓の奥にはイメージセンサ（図示せず）などが配置され、照明窓の奥には光ファイバケーブル（図示せず）が配置されている。イメージセンサの信号線や光ファイバケーブルは、挿入部１１、ユニバーサルコード１３、及びコネクタ１３ａ内を通って、プロセッサ装置、光源装置にそれぞれ接続される。
【００１８】
挿入部１１内には、処置具１４を挿通するための処置具チャンネル１６が配されている。処置具チャンネル１６の一端は処置具出口１５に接続し、他端は操作部１２に設けられた口金固定部２０に接続している。また、処置具チャンネル１６は、処置具出口１５から血液等の体液や体内汚物等の固形物などを吸引するための経路としても用いられる。操作部１２内には、処置具チャンネル１６から分岐した吸引チャンネル（図示せず）が配されている。この吸引チャンネルは操作部１２に設けられた吸引ボタン１９に接続している。
【００１９】
吸引ボタン１９は、操作部１２外において負圧源（図示せず）に接続している。吸引ボタン１９は、押圧操作またはその押圧操作の解除により、吸引通路と負圧源の連通及び遮断を切り替える。
【００２０】
図２に示すように、操作部１２には口金固定部２０が形成されている。この口金固定部２０には、口金１７（図７参照）が固定される。図３及び図４に示すように、口金１７には処置具栓２１が取り付けられる。処置具栓２１は、処置具１４（図１参照）により処置を行う際に、体内の体液、汚物、体内洗浄用の生理食塩水等が処置具チャンネル１６（図１参照）内を通って口金１７から外部に漏れ出ることを防止する。
【００２１】
図３に示すように、口金１７の上端部には処置具導入口１８が設けられている。図４及び図５に示すように、口金１７は、略円筒状に形成される。口金１７の内部には、一端が処置具導入口１８に接続され、他端が処置具チャンネル１６に接続される内部管路（挿通孔）２２が形成されている。図７に示すように、口金１７の外周面にはパッキン収納溝１７ａが形成されている。このパッキン収納溝１７ａにはパッキン２４が収納されている。パッキン２４は、口金固定部２０の内周面と口金１７の外周面との間の隙間からの体液等の漏れを防止する。
【００２２】
図５に示すように、口金１７の上端部には、口金係合部２５と受け部２６とが形成されている。口金係合部２５は口金１７の上端に形成され、係合フランジから構成されている。口金係合部２５には、処置具栓２１が係合して着脱自在に取り付けられる。受け部２６は口金係合部２５の下方に離して設けられる円板から構成されている。この受け部２６は、処置具栓２１の下面を受ける。
【００２３】
図３に示すように、処置具栓２１は、略円筒形状の栓本体３０と、栓取付フック３１〜３４とを備える。栓本体３０は、合成樹脂などの弾性材料で形成されている。この栓本体３０には、処置具１４が挿通される挿通孔３０ａが形成されている。図３〜図５に示すように、挿通孔３０ａには、下側から順に、フック凹部３０ｂ，３０ｃ，３０ｄ，３０ｅ、栓係止部としての係止爪３０ｆ、スリット弁取付溝３０ｇが形成されている。フック凹部３０ｂ〜３０ｅには、栓取付フック３１〜３４が収納される。
【００２４】
図６に示すように、フック凹部３０ｂ〜３０ｅは、円周方向に９０°ピッチで４個形成されている。このフック凹部３０ｂ〜３０ｅは、図６のように、筒芯方向から見たときに、外側から筒芯に向かうに従い次第に幅が狭くなる扇形に形成されている。また、図５に示すように、このフック凹部３０ｂ〜３０ｅは、筒芯方向に２段の段付き状に形成され、その段部面３５により、各栓取付フック３１〜３４の鍔部３１ｃ〜３４ｃを受ける。
【００２５】
栓取付フック３１〜３４は、フック凹部３０ｂ〜３０ｅに配される。栓取付フック３１〜３４は、筒芯方向から見たときにフック凹部３０ｂ〜３０ｅに対応した形状となっている。具体的には、筒芯方向から見て、外面から内面に向かうに従い横幅が小さくなる扇形状である。
【００２６】
図３に示すように、栓取付フック３１〜３４は、係合爪３１ａ〜３４ａと、挟持部３１ｂ〜３４ｂと、鍔部３１ｃ〜３４ｃと、受動部３１ｄ〜３４ｄと、本体部３１ｅ〜３４ｅを有する。本体部３１ｅ〜３４ｅは、筒芯方向に沿って配置される円弧状に湾曲した板状部材であり、これの上部内側には、挟持部３１ｂ〜３４ｂと受動部３１ｄ〜３４ｄが内側（栓本体３０の筒芯側）に向かって突出している。また、本体部３１ｅ〜３４ｅの上下方向の略中央には外側に向かって、鍔部３１ｃ〜３４ｃが突出している。さらに、本体部３１ｅ〜３４ｅの下部内側には、係合爪３１ａ〜３４ａが内側に向かって突出している。
【００２７】
図４に示すように、係合爪３１ａは、口金１７の口金係合部２５の下面２５ａに係止する。挟持部３１ｂは、口金係合部２５の上面２５ｂに係止する。これら係合爪３１ａと挟持部３１ｂとによって、口金１７の口金係合部２５が上下方向から挟持され、これにより口金１７に栓本体３０が取り付けられる。なお、他の係合爪３２ａ〜３４ａ、挟持部３２ｂ〜３２ｄも同様に口金係合部２５に係止している。図３に示すように、挟持部３１ｂ〜３４ｂの上側には、受動部３１ｄ〜３４ｄが筒芯に向けて内側に突出している。
【００２８】
図６に示すように、鍔部３１ｃ〜３４ｃは、上から見たときに、各フック凹部３０ｂ〜３０ｅの両側面（栓本体３０の半径方向に延びている）に保持されており、且つ鍔部３１ｃ〜３４ｃはフック凹部３０ｂ〜３０ｅと同形状であり、フック凹部３０ｂ〜３０ｅと嵌合している。このため、鍔部３１ｃ〜３４ｃは、両側部で保持されているため上下方向に回転することはできない。一方、係合爪３１ａ〜３４ａ、挟持部３１ｂ〜３４ｂ、受動部３１ｄ〜３４ｄ、本体部３１ｅ〜３４ｅは、各フック凹部３０ｂ〜３０ｅの両側面に隙間ができるようにフック凹部３０ｂ〜３０ｅよりも少し幅が狭く形成してある。
【００２９】
これにより、鍔部３１ｃ〜３４ｃと本体部３１ｅ〜３４ｅとの接合部分を中心として、鍔部３１ｃ〜３４ｃに対して、本体部３１ｅ〜３４ｅ、係合爪３１ａ〜３４ａ、挟持部３１ｂ〜３４ｂ、受動部３１ｄ〜３４ｄを揺動させることができる。したがって、栓取付フック３１〜３４は、口金係合部２５に係合して処置具栓２１を口金１７に取り付ける取付位置（図４及び図７参照）と、この取り付けを解除する取付解除位置（図１０参照）との間で変位可能になる。しかも、フック凹部３０ｂ〜３０ｅに保持された鍔部３１ｃ〜３４ｃによって、栓取付フック３１〜３４は取付位置に保持される。そして、処置具栓２１の口金１７の取り付け時などでは、口金係合部２５が係合爪３１ａ〜３４ａを乗り越えた後に栓取付フック３１〜３４の復元力によって、取付位置に戻るように付勢される。
【００３０】
なお、栓取付フック３１〜３４の数は適宜変更可能であり、１個以上あればよい。また、図７〜図１１では、奥側の栓取付フック３２の図示を省略している。
【００３１】
係止爪３０ｆは、挿通孔３０ａの全周に渡り円環状に形成されており、処置具の挿入方向で内側に向かい傾斜して突出している。この係止爪３０ｆには、取り外し用具４０の用具係止爪４０ｂが係止する。なお、係止爪３０ｆは必ずしも円環状ではなくてもよく、周方向に分断されたものであってもよい。
【００３２】
スリット弁取付溝３０ｇは、挿通孔３０ａの全周に渡り形成された周溝である。この取付溝３０ｇには、スリット弁３６が収納される。スリット弁３６は必要に応じて取付溝３０ｇに接着される。スリット弁３６はゴム製であり、中央部に切込みからなるスリット３６ａが形成されている。このスリット３６ａは通常の状態では互いの接触面が弾性により密着しており、閉止弁として機能する。これにより、栓本体３０から体液などが漏れ出ることを防止する。また、処置具１４が挿通されると、処置具１４の周面にスリット３６ａの接触面が密着するため、同様にして体液などの漏出を防止する。このスリット弁３６は明確に分かるように厚みを強調して描いている。
【００３３】
図７に示すように、取り外し用具４０は、円板状の用具本体４０ｃに、押動部４０ａを突出させて構成されている。押動部４０ａは円柱状に形成されており、挿通孔３０ａに挿入可能な直径となっている。押動部４０ａの外周面には、係止爪４０ｂが形成されている。係止爪４０ｂは、取り外し用具４０の挿入方向とは反対方向に対し外側に向かい斜めに突出するように形成されている。
【００３４】
押動部４０ａの先端部はテーパに形成されている。押動部４０ａは、処置具栓２１の挿通孔３０ａに挿通したときに、栓取付フック３１〜３４の受動部３１ｄ〜３４ｄに達する長さで形成されている。この押動部４０ａの先端が受動部３１ｄ〜３４ｄに当接して下方に押されると、図１０に示すように、栓取付フック３１〜３４の本体部３１ｅ〜３４ｅを含む係合爪３１ａ〜３４ａ、挟持部３１ｂ〜３４ｂ、受動部３１ｄ〜３４ｄが、鍔部３１ｃ〜３４ｃに対して回転変位し、係合爪３１ａ〜３４ａと口金係合部２５との係止が解除されて、取付解除状態になる。
【００３５】
また、この取付解除状態まで取り外し用具４０が処置具栓２１内に押し込まれると、栓本体３０の係止爪３０ｆを係止爪４０ｂが乗り越えて、両者が係止する。このとき、スリット弁３６はゴム製であるので容易に開拡変形して押動部４０ａの周面に密着する。なお、スリット弁３６の厚みが、取り外し用具４０と押動部４０ａとの間で両者の係止の阻害要因となることがないように、スリット弁３６はできるだけ薄く形成されている。また、スリット弁３６を薄く形成する他に、押動部４０ａの周面に、二点鎖線で表示したスリット弁収納溝４０ｄを形成してもよい。さらには、図示は省略したが、挿通孔３０ａの周面と押動部４０ａの外周面との間に隙間を設けてもよい。
【００３６】
図８に示すように、使用に際しては、処置具栓２１の挿通孔３０ａに口金１７の口金係合部２５が入り込むようにして、処置具栓２１を口金１７に取り付ける。図７に示すように、処置具栓２１が口金１７に取り付けられると、口金係合部２５の下面２５ａに係合爪３１ａ〜３４ａが係止し、上面２５ｂに挟持部３１ｂ〜３４ｂが係止する。この状態では、栓取付フック３１〜３４の上端面がフック凹部３０ｂ〜３０ｅに押さえられており、栓取付フック３１〜３４は変位することがなく、口金１７への係止状態が保持される。
【００３７】
次に、上記実施形態の作用について説明する。先ず、図８に示すように、口金１７の口金係合部２５を、下方から挿通孔３０ａに挿入する。各栓取付フック３１〜３４は、挿通孔３０ａに挿入された口金係合部２５に押圧されて、取付解除位置まで回転した後に取付位置に復帰し、図７に示すように、各係合爪３１ａ〜３４ａが口金係合部２５に係合される。この係合により、処置具栓２１が口金１７に取り付けられる。
【００３８】
オペレータは、プロセッサ装置、光源装置等の電源をオンして、検査準備を行い、この検査準備が完了した後、内視鏡１０の挿入部１１を患者の気管内に挿入する。光源装置からの光は、挿入部１１内の光ファイバケーブル、先端硬性部１１ａの照明窓を通って、気管内を照射する。先端硬性部１１ａに内蔵されたイメージセンサは、気管内を撮影して撮像信号を出力する。この撮像信号は、挿入部１１内の信号出力用ケーブル、ユニバーサルコード１３を介してプロセッサ装置に入力され、モニタ（図示せず）に表示される。オペレータは、モニタを通じて気管内を観察する。このとき、体液等が処置具チャンネル１６を通って口金１７の内部管路２２に入ってくるが、スリット弁３６のスリット３６ａはスリット弁３６の弾性力によって閉じているから、体液等の漏出が防止される。
【００３９】
気管内の観察中に病変部を発見した場合には、図９に示すように、処置具１４を、挿通孔３０ａから挿入し、スリット３６ａ、内部管路２２、処置具チャンネル１６を順に挿通させ、処置具出口１５から突出させる。この処置具出口１５から突出された処置具１４により病変部を処置する。スリット３６ａは、処置具１４を挿通させた状態では、スリット弁３６の弾性力によって、スリット内周面が処置具１４の外周面に密着した状態になり、体液等の漏出が防止される。
【００４０】
処置具１４によって病変部を処理した後、内視鏡１０から処置具１４を抜き取る。処置具１４を抜き取った後に、内視鏡１０の挿入部１１を気管から抜き取る。この状態では、処置具栓２１が口金に取り付けられたままとなっている。処置具栓２１には、体液等が付着しているため、感染防止の観点から処置具栓２１を口金１７から取り外す必要がある。
【００４１】
内視鏡１０から処置具栓２１を取り外す場合には、先ず、図１０に示すように、取り外し用具４０を、処置具栓２１の挿通孔３０ａに挿入する。取り外し用具４０を挿入すると、各栓取付フック３１〜３４が押動部４０ａにより押動されて取付解除位置に回転し、処置具栓２１と口金１７との係合が解除される。これと同時に、取り外し用具４０の用具係止爪４０ｂが、処置具栓２１の係止爪３０ｆを乗り越え、取り外し用具４０が処置具栓２１に係止される。
【００４２】
次に、図１１に示すように、処置具栓２１を口金１７から抜き出して取り外す。この状態では、係止爪３０ｆによって用具係止爪４０ｂが係止され、取り外し用具４０が取り外し不能に処置具栓２１に係止される。これにより、処置具栓２１を再利用しようとしても、挿通孔３０ａが取り外し用具４０で塞がれた状態となっているため、使用することができない。また、取り外し用具４０により係合爪３３ａの係止を解除することができ、処置具栓２１を破損させることなく口金１７から容易に取り外すことができる。したがって、破壊操作を伴う処置具栓２１の取り出しのように勢い余って処置具栓２１が外されることがないので、破損による体液等の飛び散りが防止される。
【００４３】
口金１７から取り外された処置具栓２１は、取り外し用具４０とともに廃棄される。取り外し用具４０には、処置具栓２１を取り外すときに体液等が付着するが、処置具栓２１とともに廃棄されるので、再利用されることがなく、衛生的である。
【００４４】
なお、上記実施形態では、栓取付フック３１〜３３を回転可能に設けているが、横方向等にスライド可能に設け、スライドにより処置具栓の取付及び取付解除を行ってもよい。
【００４５】
また、上記実施形態では、処置具栓２１の係止爪３０ｆによって取り外し用具４０の用具係止爪４０ｂを係止することで、取り外し用具４０を取り外し不能に係止しているが、取り外し用具４０を係止するための栓係止部は適宜変更が可能である。例えば、処置具栓２１と取り外し用具４０との一方に凹部を、他方に凹部に係合する突起を形成してもよく、さらには、圧入により両者を係止させてもよい。
【００４６】
上記実施形態では、取り外し用具４０により、挿通孔３０ａの入口のほぼ全範囲を塞いでいるが、少なくとも処置具１４を挿通させることができないように塞げばよい。
【００４７】
また、上記実施形態では、処置具チャンネル１６に通じる口金１７に装着される処置具栓２１を例に挙げて説明を行っているが、例えば吸引チャンネル、送気送水チャンネルなどの内視鏡の内部に配設される各種のチャンネルや管路に通じる口部に装着される栓体に本発明を適用することができる。
【００４８】
さらに、上記各実施形態では、気管に挿入する内視鏡を例に挙げて説明を行っているが、例えば大腸に挿入される大腸内視鏡等の各種医療用内視鏡や、工業用途などの他の用途に使用される内視鏡などにも本発明を適用することができる。
【符号の説明】
【００４９】
１０  内視鏡
１６  処置具チャンネル
１７  口金
２１  処置具栓
３０  栓本体
３０ａ  挿通孔
３０ｆ  係止爪
３１〜３４  栓取付フック
３６  スリット弁
４０  取り外し用具
【図１】
0005442079.tif 000002
【図２】
0005442079.tif 000003
【図３】
0005442079.tif 000004
【図４】
0005442079.tif 000005
【図５】
0005442079.tif 000006
【図６】
0005442079.tif 000007
【図７】
0005442079.tif 000008
【図８】
0005442079.tif 000009
【図９】
0005442079.tif 000010
【図１０】
0005442079.tif 000011
【図１１】
0005442079.tif 000012